【手続補正書】
【提出日】平成18年8月30日(2006.8.30)
【手続補正１】
【補正対象書類名】特許請求の範囲
【補正対象項目名】全文
【補正方法】変更
【補正の内容】
【特許請求の範囲】
【請求項１】
略平らな本体と、装着された時に利用者の口腔の後方へ向くようになっている内側面とを有するシールド部と、
略平らな本体を有するとともに略Ｕ字型をなし、前記シールド部の前記内側面に連結され、前記シールド部の前記内側面と接しているシェルフと、
前記シェルフに連結されたバルブと、を備え、
前記バルブは第一端と第二端の間で規定される長さを有し、
前記第一端は前記シェルフに連結され、前記第二端は口腔の後方に向かって延出しており、
前記第一端における前記バルブの周囲の長さは、前記第二端における前記バルブの周囲の長さよりも短くなっており、
前記バルブの前記第二端は前記バルブの前記第一端に対して下方に向かって延出していることを特徴とする利用者の口腔中に装着するおしゃぶり。
【請求項２】
さらに、前記シールド部に連結されたリングを備える請求項１に記載のおしゃぶり。
【請求項３】
さらに、前記シェルフと一体的に形成された舌側タブを備え、該舌側タブは利用者の口腔の後方へ向かって延出している請求項１に記載のおしゃぶり。
【請求項４】
さらに、前記シェルフから延出する壁部を備え、該壁部は前記シールド部の前記内側面と接触しない請求項１に記載のおしゃぶり。
【請求項５】
さらに、前記シェルフは凹部を有し、該凹部は略Ｕ字型をなしている請求項１に記載のおしゃぶり。
【請求項６】
さらに、前記シェルフ内に液体を有し、該液体は暖めるかもしくは冷却することができる請求項１に記載のおしゃぶり。
【請求項７】
略平らな本体を有するシールド部と、
前記シールド部に連結するシェルフと、
前記シェルフ内に形成された略Ｕ字型の凹部と、を備え、
前記シェルフは、略Ｕ字型をなし、第一端と、該第一端に対向する第二端と、該第一端の中央に位置する正中線と、を有し、かつ上部位置と下部位置の間で規定される幅を有しており、
前記第一端もしくは前記正中線における前記幅は、前記第二端における前記幅よりも厚くなっていることを特徴とする利用者の口腔中に装着するおしゃぶり。
【請求項８】
さらに、前記シェルフ内に蓄えられたゲルを有し、該ゲルは前記シェルフの温度を保つようになっている請求項７に記載のおしゃぶり。
【請求項９】
さらに、前記シェルフから延出している舌側タブを備える請求項７に記載のおしゃぶり。
【請求項１０】
さらに、前記第一端と第二端の間の第二の部位を備え、該第二の部位は平坦になっている請求項７に記載のおしゃぶり。
【請求項１１】
さらに、前記シールド部と前記シェルフとを連結する峡部を備える請求項７に記載のおしゃぶり。
【請求項１２】
さらに、前記シールド部に連結されたリングを備える請求項７に記載のおしゃぶり。
【請求項１３】
さらに、前記シェルフに連結されたバルブを備え、該バルブは利用者の口腔の後方へ向かって延出している請求項７に記載のおしゃぶり。
【請求項１４】
装着した時に利用者の口腔の前部と接触する平坦な面を有するシールド部と、
前記シールド部の前記平坦な面に連結し、平面によって規定され、略Ｕ字型をなすとともに内側面を有するシェルフと、
前記内側面に沿って前記シェルフと一体的に形成される舌側タブと、を備え、
前記舌側タブはそれぞれ利用者の口腔中の後方に向かって延出する頂端を有しており、前記舌側タブは前記シェルフの前記平面に対して下方に向かって延出していることを特徴とする利用者の口腔中に装着するおしゃぶり。
【請求項１５】
さらに、前記シェルフに連結されたバルブを備え、該バルブは前記シェルフに連結された第一端と、第二端とを有し、前記第一端における第一の厚さは前記第二端における第二の厚さよりも薄くなっている請求項１４に記載のおしゃぶり。
【請求項１６】
前記舌側タブは、それぞれ、口腔中で後方に向かって延出している請求項１４に記載のおしゃぶり。
【請求項１７】
前記シェルフは、略平らな本体を有している請求項１４に記載のおしゃぶり。
【請求項１８】
前記シールド部は、光吸収材料から構成されている請求項１４に記載のおしゃぶり。
【請求項１９】
前記シェルフは凹部を有し、該凹部は略Ｕ字型をなしている請求項１４に記載のおしゃぶり。
【請求項２０】
さらに、前記シェルフ内に蓄えられた液体を備え、該液体は前記シェルフの温度を保つようになっている請求項１４に記載のおしゃぶり。
【請求項２１】
第一端と該第一端に対向する第二端との間で規定される長さを有する略Ｕ字型のシェルフを備える歯と歯茎を有する利用者の口腔中に装着するおしゃぶりであって、
前記シェルフは第一の側面と、該第一の側面に対向する第二の側面と、を有し、
前記第一端と前記第二端は、前記第一の側面と前記第二の側面との間に凹部を有し、
前記シェルフの前記第一の側面と前記第二の側面は第一の厚さを有し、
前記シェルフは前記凹部において第二の厚さを有し、
前記第二の厚さは前記第一の厚さよりも薄くなっており、
前記第一の側面と前記第二の側面は球根状をなしていることを特徴とするおしゃぶり。
【請求項２２】
さらに、前記シェルフの前記第二の側面に連結されたバルブを備える請求項２１に記載のおしゃぶり。
【請求項２３】
さらに、前記シェルフの前記第一の側面に連結されたシールド部を備える請求項２１に記載のおしゃぶり。
【請求項２４】
前記シェルフの一部は前記第一端と前記第二端との間で平坦になっている請求項２１に記載のおしゃぶり。
【請求項２５】
前記シェルフの前記長さは前記利用者の前記歯に基づいている請求項２１に記載のおしゃぶり。
【請求項２６】
さらに、前記シェルフに連結されたリングを備える請求項２１に記載のおしゃぶり。
【請求項２７】
さらに、前記シェルフの前記第二の側面に連結された舌側タブを備える請求項２１に記載のおしゃぶり。
【請求項２８】
さらに、前記シェルフと一体的に形成された壁部を備え、該壁部は前記利用者の前記歯をガイドする請求項２１に記載のおしゃぶり。
【請求項２９】
さらに、前記シェルフの内部にゲルを備える請求項２１に記載のおしゃぶり。
【請求項３０】
前記シェルフは、暗い環境下で確認できる材料で構成されている請求項２１に記載のおしゃぶり。
【請求項３１】
前記第一の側面と前記第二の側面は、前記第一の側面と前記第二の側面との間の凹部とともに、前記利用者の前記口腔内の前記歯茎を囲んでいる請求項２１に記載のおしゃぶり。
【請求項３２】
第一端と該第一端に対向する第二端との間で規定される長さを有する略Ｕ字型のシェルフと、
前記シェルフと一体的に形成され、利用者の歯をガイドする壁部と、を備える歯と歯茎を有する利用者の口腔中に装着するおしゃぶりであって、
前記シェルフは第一の側面と、該第一の側面に対向する第二の側面と、を有し、
前記第一端と前記第二端は、前記第一の側面と前記第二の側面との間に凹部を有し、
前記シェルフの前記第一の側面と前記第二の側面は第一の厚さを有し、
前記シェルフは前記凹部において第二の厚さを有し、
前記第二の厚さは前記第一の厚さよりも薄くなっており、
前記第一の側面と前記第二の側面は球根状をなしていることを特徴とするおしゃぶり。
【請求項３３】
さらに、前記シェルフから延出する舌側タブを備える請求項３２に記載のおしゃぶり。
【請求項３４】
さらに、前記シェルフの内部にゲルを供える請求項３２に記載のおしゃぶり。
【請求項３５】
さらに、前記シェルフに連結されたリングを備える請求項３２に記載のおしゃぶり。
【請求項３６】
さらに、前記シェルフから延出するバルブを備える請求項３２に記載のおしゃぶり。
【請求項３７】
第一端と該第一端に対向する第二端との間で規定される長さを有する略Ｕ字型のシェルフを備える歯と歯茎を有する利用者の口腔中に装着するおしゃぶりであって、
前記シェルフは第一の側面と、該第一の側面に対向する第二の側面と、を有し、
前記第一端と前記第二端は、前記第一の側面と前記第二の側面との間に凹部を有し、
前記シェルフの前記第一の側面と前記第二の側面は第一の厚さを有し、
前記シェルフは前記凹部において第二の厚さを有し、
前記第二の厚さは前記第一の厚さよりも薄くなっており、
前記第一の側面と前記第二の側面は球根状をなしており、
前記シェルフは暗い環境下で確認できる材料で構成されていることを特徴とするおしゃぶり。
【請求項３８】
さらに、前記シェルフと一体的に形成された壁部を備え、該壁部は前記利用者の前記歯をガイドする請求項３７に記載のおしゃぶり。
【請求項３９】
さらに、前記シェルフから延出する舌側タブを備える請求項３７に記載のおしゃぶり。
【請求項４０】
さらに、前記シェルフの内部にゲルを供える請求項３７に記載のおしゃぶり。
【請求項４１】
さらに、前記シェルフに連結されたリングを備える請求項３７に記載のおしゃぶり。
【請求項４２】
さらに、前記シェルフから延出するバルブを備える請求項３７に記載のおしゃぶり。
【請求項４３】
利用者の適切な歯列を維持する方法であって、
前記利用者の口腔中に装着する第一のおしゃぶりを提供するステップと、
前記利用者の前記口腔中に装着する第二のおしゃぶりを提供するステップと、を有し、
前記第一のおしゃぶりは、第一のシェルフと、第一のシールド部と、該第一のシールド部に連結する第一のリングと、該第一のシェルフに連結する第一のバルブと、を備え、前記第一のバルブは、前記第一のおしゃぶりを装着したときに前記利用者の前記口腔の後方に向かって延出し、
前記第二のおしゃぶりは、第二のシェルフと、第二のシールド部と、該第二のシールド部に連結する第二のリングと、該第二のシェルフに連結する第二のバルブと、を備え、前記第二のシールド部は前記第一のシールド部よりも小さく、前記第二のバルブは前記第二のおしゃぶりを装着したときに前記利用者の前記口腔の後方に向かって延出し、前記第二のシェルフは前記第二のおしゃぶりを装着したときに前記利用者の前記歯に接触することを特徴とする方法。
【請求項４４】
さらに、前記利用者の前記口腔内に装着する前記第二のシェルフの延長部または第三のシェルフを提供するステップを有する請求項４３に記載の方法。
【請求項４５】
さらに、前記第一のシェルフおよび前記第二のシェルフに舌側タブを連結するステップを有する請求項４３に記載の方法。
【請求項４６】
さらに、前記第一のシェルフ、前記第二のシェルフおよび前記第三のシェルフの内部にゲルを供給するステップを有する請求項４３に記載の方法。